(57)【要約】【課題】座布団に正座して座禅を組み、長時間にわたって瞑想に耽る際に、背骨を真っ直ぐに伸ばした良好な正座姿勢を維持することを目的とする。【解決手段】正座できる程度の大きさの正座具１に使用者が座して、座禅等の瞑想に耽るために使用する瞑想具であって、正座具１に上下に伸縮調整可能な支持棒２を直立状に取り付け、支持棒２の上端部に、正座している使用者の顎を載せることのできる顎載せ台３を設けてなること。【選択図】図１
0003132527.tif 000002
【実用新案登録請求の範囲】
【請求項１】
正座できる程度の大きさの正座具に使用者が座して、座禅等の瞑想に耽るために使用する瞑想具であって、正座具に上下に伸縮調整可能な支持棒を直立状に取り付け、該支持棒の上端部に、正座している使用者の顎を載せることのできる顎載せ台を設けてなる瞑想具。
【請求項２】
正座具は、基板と、該基板上に取り外し可能に重合されるクッション性の座具とからなる請求項１に記載の瞑想具。
【請求項３】
基板に突片を基板の側面から横方向に取り外し可能に突設し、該突片に前記支持棒を取り外し可能に直立状に取り付けてなる請求項１又は２に記載の瞑想具。
【請求項４】
基板の中央部に角錐状の水晶を埋設してなる請求項１〜３の何れかに記載の瞑想具。
【請求項５】
角錐状の水晶は筒状のケースに収納され、該ケースの内壁に金属コイルが巻設されてなる請求項４に記載の瞑想具。
【考案の詳細な説明】
【技術分野】
【０００１】
本考案は、正座して座禅を組み、瞑想に耽るための瞑想具に関する。
【背景技術】
【０００２】
従来技術として特許公報等の具体的な公知文献を挙げることはできないが、座布団に正座して座禅を組み、長時間にわたって瞑想に耽っても、背骨を真っ直ぐに伸ばした良好な正座姿勢を維持することが必要である。ところが、長時間にわたって正座すると、無意識に背骨が前かがみになったり、睡魔に襲われ、良好な正座姿勢を維持することが困難になることはよく経験するところである。
【考案の開示】
【考案が解決しようとする課題】
【０００３】
本考案は、座布団に正座して座禅を組み、長時間にわたって瞑想に耽る際に、背骨を真っ直ぐに伸ばした良好な正座姿勢を維持するのを補助するための瞑想具を提案することを目的とする。
【課題を解決するための手段】
【０００４】
上記課題を解決するための手段を、後述する実施形態の参照番号を付して説明すると、請求項１に係る考案の瞑想具は、正座できる程度の大きさの正座具１に使用者が座して、座禅等の瞑想に耽るために使用する瞑想具であって、正座具１に上下に伸縮調整可能な支持棒２を直立状に取り付け、該支持棒２の上端部に、正座している使用者の顎を載せることのできる顎載せ台３を設けてなることを特徴とする。
【０００５】
請求項２は、請求項１に記載の瞑想具において、正座具１は、基板４と、該基板４上に取り外し可能に重合されるクッション性の座具５とからなるなることを特徴とする。
【０００６】
請求項３は、請求項１又は２に記載の瞑想具において、基板４に突片６を基板４の側面から横方向に取り外し可能に突設し、該突片６に前記支持棒２を取り外し可能に直立状に取り付けてなることを特徴とする。
【０００７】
請求項４は、請求項１〜３の何れかに記載の瞑想具において、基板４の中央部に角錐状の水晶７を埋設してなることを特徴とする。
【０００８】
請求項５は、請求項４に記載の瞑想具において、角錐状の水晶７は筒状のケース８に収納され、該ケース８の内壁に金属コイル９が巻設されてなることを特徴とする。
【考案の効果】
【０００９】
上記解決手段による考案の効果を、後述する実施形態の参照番号を付して説明すると、請求項１に係る考案の瞑想具によれば、使用者が正座具１に座して、その背骨が真っ直ぐにした状態で、該正座具１に直立状に取り付けた支持棒２を上下に伸縮調整してその上端部の顎載せ台３に使用者の顎を載せることによって、使用者の姿勢が顎載せ台３に規制され、長時間座禅を組んで瞑想に耽っても、使用者の背骨が真っ直ぐになった良好な姿勢の状態に維持され、背骨が前かがみになったり、睡魔に襲われることはない。
【００１０】
請求項２に係る考案の瞑想具によれば、正座具１が基板４と、該基板４上に重合されるクッション性の座具５とからなるため、正座具１は、基板４によって長時間使用者が座するものその保形状態が維持されるにも係わらず、クッション性の座具５によって、長時間にわたって座り心地の良好で状態を維持することができる。しかも、座具５は基板４から取り外し可能に重合されるようになっているため、長期間の使用により座具５が損傷しても基板４から容易に取り替えることができる。
【００１１】
請求項３に係る考案の瞑想具によれば、正座具１に取り付けられる支持棒２は、基板４の側面から横方向に突設した取り外し可能な突片６を介して取り外し可能に直立状態に取り付けられるようになっているため、運搬や保管の際には、正座具１と突片６と支持棒２とを互いに分離することできるため、嵩張ることはない。
【００１２】
請求項４に係る考案の瞑想具によれば、基板４の中央部に角錐状の水晶７を埋設してなることを特徴とする。水晶７は、理論的に説明することは困難であるが、身体内部の組織の活性化につながるエネルギーを放出しているといわれる。本考案によれば、正座具１の基板４の内部に水晶７を埋設することによって、これに座する使用者の身体内部に組織の活性化につながるエネルギーが水晶７の角錐先端部より放出されて付与され、使用者の健康増進に寄与することができる。
【００１３】
請求項５に係る考案の瞑想具によれば、前記角錐状の水晶７は筒状のケース８に収納され、該水晶７から放出されるエネルギーは、該ケース８の内壁に巻設された金属コイル９に案内されて、使用者の身体内部に効率的に付与されることになる。
【考案を実施するための最良の形態】
【００１４】
以下に本考案の好適な実施形態について図面を参照しながら説明すると、図１は、本考案に係る瞑想具の使用状態を示すもので、正座具１に座す使用者Ｍは、その背骨を真っ直ぐにした良好な姿勢状態で、その顎Ｍａが正座具１に直立状に設けられた支持棒２の上端部の顎載せ台３に受け止められ、該顎載せ台３に規制されて、使用者Ｍの姿勢は、長時間にわたる座禅等の瞑想状態にもかかわらず、良好に維持される。
【００１５】
正座具１は、図２の斜視図、図３の縦断面図、図４の分解斜視図に示すように、使用者が座するに適した大きさの合成樹脂製または木製の円形な基板４と、発泡ウレタン等の軟質発泡樹脂製あるいは合成ゴム製等のクッション性を有する円形な座具５とからなり、基板４の中央部には円形凹部４ａが形成され、これに座具５の中央部に形成した円形凸部５ａが嵌合して基板４上に座具５が重合されるようになっている。
【００１６】
基板４には、その側面側に開口する溝４ｂが径方向に形成され、この溝４ｂに基板４の上面と同じ面になるような厚みの突片６が基板４の側面から横方向に突出するように載置されると共に、突片６と基板４とのわたって設けたピン孔６ａ，４ｃに抜き差し可能なピン１０が挿入され、この状態で座具５が重合されることによって、突片６は溝４ｂに嵌合され固定状態に取り付けられるようになっている。そして、座具５を基板４から取り外し、ピン１０をピン孔６ａ，４ｃから抜くことによって、突片６を溝４ｂから容易に取り外すことができる。
【００１７】
正座具１から横方向に突設される突片６の先端部には、上下に貫通する貫通孔６ｂが形成され、これに支持棒２の下端部が抜き差し可能に挿入され、支持棒２の下端部段部２ａが突片６に受け止められ直立状態に取り付けられるようになっている。支持棒２の上端部には図示のような矩形板状の顎載せ台３が一体に取り付けられる。
【００１８】
この顎載せ台３は、図示のように矩形板状に形成されることが好ましいが、これ以外に円形板状のものでもよい。矩形板状の顎載せ台３であれば、顎の左右幅の方向の接地面に矩形板の長手方向が合えば、顎を顎載せ台３に余裕をもって受け止めることができ、会わなければ、若干不安定に顎が顎載せ台３に受け止められることになる。この点、円形板状の顎載せ台３であれば、顎の左右幅に対して、顎載せ台３は、顎の接地面に対して、常に同じ受け面積であるから、後述のように上部棒部２ｃの回転調整に伴う顎載せ台３の水平方向の向きが変わっても、顎は、常に同じ顎受け面積で顎載せ台３に良好に受け止められることができる。
【００１９】
図３および図４に示すように、基板４の中央部に形成された円形凹部４ａの更に中央部に上下に貫通する小円形孔４ｄが形成され、この小円形孔４ｄにつば８ａ付きの筒状のケース８が嵌合されて接着剤等によって固定され、図５に示すように、このケース８の内部に角錐ブロック状の小さな水晶７が収納され、ケース８の内壁に沿ってその下端部から上端部にかけて銅線等の金属コイル９が巻設されている。
【００２０】
支持棒２は、突片６に挿入される側の下部棒部２ｂと、顎載せ台３を設けた側の管状の上部棒部２ｃとからなり、下部棒部２ｂの上部は上部棒部２ｃの管内に挿入され、回転カム機構１１（図６の（ａ）〜（ｃ））によって上部棒部２ｃは下部棒部２ｂに伸縮調整位置で固定されるようになっている。すなわち、図６の（ａ）に矢印で示すように、上部棒部２ｃは、下部棒部２ｂに対して水平方向に回転できるようになっており、図６の（ｂ）に示すように、下部棒部２ｂのカム山１１ａから上部棒部２ｃの管内内壁のカム谷１１ｂが離脱しているときは、上部棒部２ｃは、下部棒部２ｂに対してフリーとなって自由に上下に伸縮移動調整することができるが、図６の（ｃ）に示すように、上部棒部２ｃを矢印方向（図示では反時計方向）に回転させることによって、下部棒部２ｂのカム山１１ａに上部棒部２ｃの管内内壁のカム谷１１ｂが圧接し、上部棒部２ｃと下部棒部２ｂは、互いに回転不能の不動状態となって、上部棒部２ｃは、下部棒部２ｂに対して、その伸縮位置でロック状態に繋がれることになる。
【００２１】
従って、使用者が座禅等の瞑想に耽るために、正座具１に正座し、正座具１に直立状態に取り付けられている支持棒２の上部棒部２ｃを回転して、図６の（ｂ）に示すように、下部棒部２ｂ１とのカム機構１１によるロック状態を開放してフリーの状態とし、使用者の背筋を真っ直ぐにした姿勢状態のときの顎の位置まで顎載せ台３がくるように上部棒部２ｃを下部棒部２ｂに対して伸長操作し、顎載せ台３に顎を安定よく受けた位置で、上部棒部２ｃを、図６の（ｃ）に示すように反時計方向に回転して、上部棒部２ｃを下部棒部２ｂに対してその伸長位置でロック状態に繋ぐことによって、顎は、顎載せ台３に規制されてその位置で保持され、使用者の背筋が真っ直ぐになった良好な姿勢状態を長時間にわたって維持することができる。
【図面の簡単な説明】
【００２２】
【図１】は、本考案に係る瞑想具の使用状態を示す図である。
【図２】は、本考案に係る瞑想具の斜視図である。
【図３】は、本考案に係る瞑想具の縦断面図である。
【図４】は、本考案に係る瞑想具の分解斜視図であり、そのうち、（ａ）は、正座具を示し、（ｂ）は、基板４の部分を示し、(c) は、支持棒２の部分を示し、（ｄ）は、水晶７の部分を示す。
【図５】は、水晶７部分の拡大縦断面図である。
【図６】は、支持棒２の伸縮調整機構である回転カム機構を示す図であり、そのうち、（ａ）は、支持棒２の下部棒部２ｂと上部棒部２ｃとの伸縮状態を示す断面図であり、（ｂ）は、回転カム機構のフリーの状態を示し、（ｃ）は、ロック状態を示す。
【符号の説明】
【００２３】
１          正座具
２          支持棒
３          顎載せ台
４          基板
５          座具
６          突片
７          水晶
８          ケース
９          金属コイル
【図１】
0003132527.tif 000003
【図２】
0003132527.tif 000004
【図３】
0003132527.tif 000005
【図４】
0003132527.tif 000006
【図５】
0003132527.tif 000007
【図６】
0003132527.tif 000008
【手続補正書】
【提出日】平成19年4月2日(2007.4.2)
【手続補正１】
【補正対象書類名】実用新案登録請求の範囲
【補正対象項目名】全文
【補正方法】変更
【補正の内容】
【実用新案登録請求の範囲】
【請求項１】
正座できる程度の大きさの正座具に使用者が座して、座禅等の瞑想に耽るために使用する瞑想具であって、正座具に上下に伸縮調整可能な支持棒を直立状に取り付け、該支持棒の上端部に、正座している使用者の顎を載せることのできる顎載せ台を設けてなる瞑想具。
【請求項２】
正座具は、基板と、該基板上に取り外し可能に重合されるクッション性の座具とからなる請求項１に記載の瞑想具。
【請求項３】
基板に突片を基板の側面から横方向に取り外し可能に突設し、該突片に前記支持棒を取り外し可能に直立状に取り付けてなる請求項２に記載の瞑想具。
【請求項４】
基板の中央部に角錐状の水晶を埋設してなる請求項２又は３に記載の瞑想具。
【請求項５】
角錐状の水晶は筒状のケースに収納され、該ケースの内壁に金属コイルが巻設されてなる請求項４に記載の瞑想具。
【手続補正２】
【補正対象書類名】明細書
【補正対象項目名】０００６
【補正方法】変更
【補正の内容】
【０００６】
請求項３は、請求項２に記載の瞑想具において、基板４に突片６を基板４の側面から横方向に取り外し可能に突設し、該突片６に前記支持棒２を取り外し可能に直立状に取り付けてなることを特徴とする。
【手続補正３】
【補正対象書類名】明細書
【補正対象項目名】０００７
【補正方法】変更
【補正の内容】
【０００７】
請求項４は、請求項２又は３に記載の瞑想具において、基板４の中央部に角錐状の水晶７を埋設してなることを特徴とする。